(57)【特許請求の範囲】
【請求項１】
ベッドにおけるボトム上のマットレスの幅方向端面側に、サポート部を当接すると共に、取付手段を介して設け、このサポート部は、芯材を表地で覆って構成して、前記マットレス上面よりベッド幅方向外側に傾斜突出した上部と、マットレス上面と同等の高さとして、マットレス上面から、マットレス幅方向に連続的に拡張する平面部とを有することを特徴とする落下予防装置。
【請求項２】
前記取付手段は、サポート部を支持し、サイドフレームの付属品取付穴に着脱可能に装着してなる支柱部であることを特徴とする請求項１記載の落下予防装置。
【請求項３】
前記取付手段は、サポート部を支持し、ボトムに係止してなる係止部材と、この係止部材をボトムに固定してなる固定手段とを有することを特徴とする請求項１記載の落下予防装置。
【請求項４】
前記取付手段は、サポート部を支持する支柱部と、この支柱部末端側に、ボトムを支えるメインフレームに、着脱可能に固定してなるクランプ手段とを有することを特徴とする請求項１記載の落下予防装置。
【請求項５】
前記サポート部は、ベッドの中央側部側を空けて配置したものであることを特徴とする請求項１ないし４記載のうち、いずれか１記載の落下予防装置。
【発明の詳細な説明】
【０００１】
【発明の属する技術分野】
本発明は、ベッドにおけるボトム上のマットレス側部側に配置して、落下予防機能と共に、マットレス幅方向に余裕をもたらすことのできる、落下予防装置に関するものである。
【０００２】
【従来の技術】
従来からベッド、特に病院用ベッドには、落下予防用の側柵等が設けられてきた。
しかしながら、そのような側柵が床板やサイドフレーム側に設けられているといっても、完全に落下を防止できるものではなく、マットレス自体には何の支えもないので、側柵を取り付け忘れたようなときは寝返りによって落下するおそれは高い。そのために、マットレス自体に落下防止機能をもたらすものとして、マットレス幅方向側面側に当接するように配置した落下予防装置（サイドサポータ）が提案されている。
かかるサイドサポータによって、マットレス自体に寝返りによる落下予防用の機能をもたらすことができ、従前の課題は改善された。
【０００３】
【発明が解決しようとする課題】
反面、前記サイドサポータにより、あたかも段差のあるマットレスのごとき印象がもたらされ、床幅、すなわちマットレス幅が限定されたような窮屈感が感じられるのは否めない。
本発明は、このような背景から、サイドサポータにさらに一工夫を凝らして、落下予防機能は勿論、快適さを向上するために提案されたものであって、落下予防機能と共に、マットレス幅方向に余裕をもたらすようにした、落下予防装置を提供することを目的とする。
【０００４】
【課題を解決するための手段】
前記した課題を解決するために、本発明では、請求項１において、ベッドにおけるボトム上のマットレスの幅方向端面側に、サポート部を当接すると共に、取付手段を介して設け、このサポート部は、芯材を表地で覆って構成して、前記マットレス上面よりベッド幅方向外側に傾斜突出した上部と、マットレス上面と同等の高さとして、マットレス上面から、マットレス幅方向に連続的に拡張する平面部とを有する落下予防装置を提案する。
また本発明では、請求項２において、取付手段を、サポート部を支持し、サイドフレームの付属品取付穴に着脱可能に装着してなる支柱部とした落下予防装置を提案する。
また本発明では、請求項３において、取付手段を、サポート部を支持し、ボトムに係止してなる係止部材と、この係止部材をボトムに固定してなる固定手段とによって構成した落下予防装置を提案する。
また本発明では、請求項４において、取付手段を、サポート部を支持する支柱部と、この支柱部末端側に、ボトムを支えるメインフレームに、着脱可能に固定してなるクランプ手段とによって構成した落下予防装置を提案する。
さらに本発明では、請求項５において、前記サポート部は、ベッドの中央側部側を空けて配置してなる落下予防装置を提案する。
【０００５】
請求項１によれば、サポート部の上部側により、使用者がマットレス幅方向側面から落下するのを予防することができ、しかも、平面部がマットレス上面から、マットレス幅方向に連続的に展開する位置にあるので、幅方向に余裕がもたらされる。
【０００６】
請求項２によれば、既存のベッドにも簡単にサポート部を保持することができ、落下予防と共に、マットレスの幅方向への余裕をもたらすことができる。
【０００７】
請求項３によれば、サポート部を取付手段によってボトムに取り付けたので、サポート部の長さ寸法をボトムに合わせれば、ギャッチベッド（ボトム起伏型ベッド）に適用することも可能である。
【０００８】
請求項４によれば、サポート部を支持する支柱部をクランプ手段によってメインフレームの適所に取り付けることができる。
【０００９】
請求項５によれば、マットレス中央側部側が常時解放されているので、ベッドの乗り降り、治療の際に好都合である。
【００１０】
【発明の実施の態様】
次に、本発明にかかる落下予防装置について、実施の形態を示し、添付の図面に基づいて以下説明する。
図１に、ベッド１に落下予防用サイドサポータ２を装着したところを示す。
このサイドサポータ２は、ボトム３を支えるメインフレーム４に併設したサイドフレーム５に装着してなる支柱部（後述）に支持して、ボトム３上に載置したマットレス６の幅方向端面側にサポート部７をもたらす構成としている。なお、Ｃはキャスタを示す。
【００１１】
前記サイドフレーム５は、ベッド１のヘッドボード８寄り側とフットボード９寄り側に形成され、ベッド１長手方向、中間側部側を空けた構造としている。かかるサイドフレーム５は、メインフレーム４に溶接によって固設され、通常の差込式側柵の支柱部（図示省略）を差し込むようにした付属品取付穴を形成する、受けパイプ１０が植設されている（図２参照）。かかる受けパイプ１０に、サイドサポータ２の支柱部１１を差し込むようにしている。
【００１２】
そして、前記サイドサポータ２において、前記サポート部７は、長手方向が、ベッド側面のヘッドボード８側からフットボード９側に至る、全面をカバーする寸法を有し、それぞれヘッドボード８寄り側、フットボード９寄り側におけるサイドフレーム５の受けパイプ１０に、支柱部１１を差し込んで保持するようにしている。
また前記サポート部７は、周知の芯材（例えばポリエステル繊維等）を表地で覆って構成したもので、マットレス６の幅方向端面に当接するように配置した際に、マットレス６上面より突出する上部７ａを、ベッド幅方向外側に傾斜させている。
そして前記サポート部７のマットレス６側に面する側には、マットレス６上面と同等の高さの平面部７ｂを設けている。
【００１３】
以上のような落下予防用サイドサポータ２によれば、通常の側柵に置き換えて、ベッド１のヘッドボード８寄り側、フットボード９寄り側におけるサイドフレーム５の受けパイプ１０に、支柱部１１を差し込んで保持することができる。
この場合、サポート部７は、ベッド側面全体をカバーするので、通常の側柵同様、落下予防用として効果がある。
【００１４】
前記サポート部７を、マットレス６の幅方向端面に当接するように配置すると、マットレス６上面と同等の高さの平面部７ｂが、マットレス６上面から、マットレス６幅方向に連続的に展開する位置にもたらされるので、あたかもマットレス６幅方向の寸法を拡張した状態となり、しかも、マットレス６上面より突出する上部７ａが、ベッド１幅方向外側に傾斜しているので、落下予防と共に、解放感がもたらされ、一段と快適さが向上する。
【００１５】
本発明にかかる落下予防装置は以下のように構成することもできる。
すなわち図３に示すように、このサイドサポータ２では、サポート部７の取付手段として、サポート部７に固定した、ボトム３の側面に係止させる係止部材２０と、係止部材２０をボトム３に固定する固定手段としての締付ボルト２１とよりなる構成を用いている。勿論、取付手段はこの構成に限らない。
【００１６】
このようにサポート部７をボトム３に取り付けたことにより、サポート部７の長さ寸法を可動ボトム（背ボトム、足ボトム）に合わせれば、ギャッチベッドへの適用も可能である。
【００１７】
また、本発明にかかる落下予防装置は以下のように構成することもできる。すなわち図４に示すサイドサポータ２では、サポート部７の長手寸法を、ヘッドボード８寄り側、フットボード９寄り側におけるサイドフレーム５と同等とし、それぞれのサイドフレーム５における受けパイプ１０に、支柱部（図示省略）を差し込んでサポート部７を保持するようにしている。なお、かかるサイドサポータ２においても、サポート部７はマットレス６上面より突出する上部７ａを、ベッド幅方向外側に傾斜させると共に、マットレス６側に面する側に、マットレス６上面と同等の高さの平面部７ｂを有している。また、ベッドへの取付方は、ベッドのボトム３側に取り付けてもよいし、メインフレーム４に取り付けるようにしてもよい。
【００１８】
以上のようなサイドサポータ２によれば、マットレス６中央両側部側が常時解放されているので、ベッドの乗り降り、治療の際にサポート部７が妨げとなることはなく、一層、使いやすいものとなる。
【００１９】
さらに本発明にかかる落下予防装置は以下のように構成することもできる。
すなわち図５に示すように、このサイドサポータ２では、取付手段としてサポート部７を支持する支柱部１１末端側のクランプ手段３０を有し、このクランプ手段３０によってメインフレーム４に着脱可能に装着する構成としている。
【００２０】
かかるサイドサポータ２において、前記クランプ手段３０は、支柱部１１末端側に固設した、断面略コ型上の上枠体３１と下枠体３２とを有している。これら上枠体３１と下枠体３２とは、装着すべきメインフレーム４に、上下方向から係止するように配置している。この場合、上枠体３１と下枠体３２とは、規格化されたメインフレームの外形に対応した寸法としている。
また前記下枠体３２は、上枠体３１に対し締付手段３３により若干離隔した状態で上下動可能な状態で連結している。
すなわちこの締付手段３３では、ボルト３４を上枠体３１に、下枠体３２を介し挿通すると共に、先端にナット３５を螺着し、前記ボルト３４の下端側に回動可能に取り付けたカムレバー３６を、略水平方向に変位操作することで前記上枠体３１に対し下枠体３２を上動させて装着すべきメインフレーム４を、上下方向から締付ける構成である。
【００２１】
以上のようなサイドサポータ２によれば、クランプ手段３０によってサイドサポータ２を簡単に着脱可能に固定することができ、一層、取り扱い性が向上する。また、クランプ手段３０を構成する上枠体３１と下枠体３２とを、規格化されたメインフレームの外形に対応した寸法とすれば、既存のベッドにも容易に適用することができる。
【００２２】
【発明の効果】
以上の通り、本発明によれば、
（１）サポート部の上部側により、使用者がマットレス幅方向側面から落下するのを予防することができ、平面部がマットレス上面から、マットレス幅方向に連続的に展開する位置にあるので、マットレスの幅を拡張したような余裕がもたらされる。
（２）サイドフレームの付属品取付穴を取り付けに利用するものにあっては、既存のベッドにも簡単にサポート部を保持することができ、落下予防と共に、マットレスの幅方向への余裕をもたらすことができる。
（３）ヘットボード寄りサイドフレームおよびヘットボード寄りのサイドフレームに分けてサポート部を保持したものにあっては、マットレス中央側部側が常時解放されているので、ベッドの乗り降り、治療の際に好都合である。
【００２３】
【図面の簡単な説明】
【図１】本発明にかかる落下予防装置を装着したベッドの一例を示した、外観斜視図である。
【図２】図１に示す落下予防装置を、ベッドに装着した構造を示す要部断面説明図である。
【図３】別例にかかる落下予防装置を、ベッドに装着した構造を示す要部断面説明図である。
【図４】別例にかかる落下予防装置を装着したベッドの、外観斜視図である。
【図５】落下予防装置の別の取付構造を示す、断面説明図である。
【符号の説明】
１                      ベッド
２                      サイドサポータ
３                      ボトム
４                      メインフレーム
５                      サイドフレーム
６                      マットレス
７                      サポート部
７ａ                    上部
７ｂ                    平面部
８                      ヘッドボード
９                      フットボード
１０                    受けパイプ
１１                    支柱部
２０                    係止部材
２１                    締付ボルト
３０                    クランプ手段
３１                    上枠体
３２                    下枠体
３３                    締付手段
３４                    ボルト
３５                    ナット
３６                    カムレバー
Ｃ                      キャスタ
【図１】
0003659493.tif 000002
【図２】
0003659493.tif 000003
【図３】
0003659493.tif 000004
【図４】
0003659493.tif 000005
【図５】
0003659493.tif 000006